(57)【特許請求の範囲】
【請求項１】
ブームの先端部とジブの基端部との間に介装されるアダプタ本体と、
ジブの着脱作業時にジブを吊り下げるワイヤを案内するジブ着脱用シーブと、
ジブ着脱用シーブが先端部に回転自在に支持され、ジブ着脱用シーブを張り出した姿勢である張出姿勢とジブ着脱用シーブを格納した姿勢である格納姿勢との切り換えを可能に基端部がアダプタ本体に対して回動自在に連結されたシーブ支持部材と、を備え、
アダプタ本体は、ブームの先端部に対向する面を下方に向けて水平面上に仮置きされるものであり、
シーブ支持部材は、アダプタ本体を水平面上に仮置きした状態で、水平方向の回動によって張出姿勢と格納姿勢とが切り換えられる
ことを特徴とするジブ取付用アダプタ。
【請求項２】
シーブ支持部材は、基端部側に設けられた基端部側部材と、基端部側部材に対して回動自在に支持された先端部側部材と、を有している
ことを特徴とする請求項１に記載のジブ取付用アダプタ。
【請求項３】
アダプタ本体には、吊り金具を係合させる金具係合部が設けられ、
シーブ支持部材は、格納姿勢において金具係合部の外側に位置する
ことを特徴とする請求項１または２に記載のジブ取付用アダプタ。
【請求項４】
シーブ支持部材には、張出姿勢及び格納姿勢のそれぞれの姿勢を固定する姿勢固定部が設けられている
ことを特徴とする請求項１乃至３のいずれかに記載のジブ取付用アダプタ。
【発明の詳細な説明】
【技術分野】
【０００１】
本発明は、例えば、移動式クレーンの伸縮ブームの先端部に取り付ける際に伸縮ブームとジブとの間に介装されるジブ取付用アダプタに関するものである。
【背景技術】
【０００２】
従来のジブ取付用アダプタとしては、ブームの先端部とジブの基端部との間に介装されるアダプタ本体と、ジブの着脱作業時にジブを吊り下げるワイヤを案内するジブ着脱用シーブと、ジブ着脱用シーブが先端部に回転自在に支持され、ジブ着脱用シーブを張り出した姿勢である張出姿勢とジブ着脱用シーブを格納した姿勢である格納姿勢との切り換えを可能に基端部がアダプタ本体に対して回動自在に連結されたシーブ支持部材と、を備えたものが知られている（例えば、特許文献１参照）。
【０００３】
前記ジブ取付用アダプタでは、シーブ支持部材が格納姿勢のアダプタ本体をブームの先端部に取り付けた後、シーブ支持部材を格納姿勢から張出姿勢に切り換える作業を行っている。
【先行技術文献】
【特許文献】
【０００４】
【特許文献１】特開２００７−２２７９０号公報
【発明の概要】
【発明が解決しようとする課題】
【０００５】
前記ジブ取付用アダプタでは、アダプタ本体をブームの先端部に取り付けた状態において重量の大きいシーブ支持部材の先端部を上方に回動させることで格納姿勢から張出姿勢に切り換えている。このため、前記ジブ取付用アダプタでは、重量の大きいシーブ支持部材を上方に回動させるために複雑な機構を必要としている。
【０００６】
また、シーブ支持部材を張出姿勢とする操作の後に張出姿勢を固定するための固定ピンの取り付ける作業に関してはブーム上の高所作業となるため、作業効率が悪くなるとともに、安全性上の問題が生じるおそれがある。
【０００７】
本発明の目的とするところは、製造コストの低減を図るとともに、作業効率及び安全性の向上を図ることのできるジブ取付用アダプタを提供することにある。
【課題を解決するための手段】
【０００８】
本発明は、前記目的を達成するために、ブームの先端部とジブの基端部との間に介装されるアダプタ本体と、ジブの着脱作業時にジブを吊り下げるワイヤを案内するジブ着脱用シーブと、ジブ着脱用シーブが先端部に回転自在に支持され、ジブ着脱用シーブを張り出した姿勢である張出姿勢とジブ着脱用シーブを格納した姿勢である格納姿勢との切り換えを可能に基端部がアダプタ本体に対して回動自在に連結されたシーブ支持部材と、を備え、アダプタ本体は、ブームの先端部に対向する面を下方に向けて水平面上に仮置きされるものであり、シーブ支持部材は、アダプタ本体を水平面上に仮置きした状態で、水平方向の回動によって張出姿勢と格納姿勢とが切り換えられる。
【０００９】
これにより、アダプタ本体を水平面上に仮置きした状態において、シーブ支持部材の水平方向の回動によってシーブ支持部材の張出姿勢及び格納姿勢の切り換えが可能となることから、作業者が地面上において手動で張出姿勢及び格納姿勢の切り換え操作を行うことが可能となる。
【発明の効果】
【００１０】
本発明によれば、複雑な機構を必要とすることなく、作業者が手動でシーブ支持部材の張出姿勢及び格納姿勢の切り換え操作を行うことができるので、製造コストの低減を図ることが可能となる。また、作業者が地面上においてシーブ支持部材の張出姿勢及び格納姿勢の切り換え操作を行うことができるので、張出姿勢及び格納姿勢の切り換え作業の作業効率及び安全性を向上させることが可能となる。
【図面の簡単な説明】
【００１１】
【図１】本発明の一実施形態を示すジブ取付用アダプタを介してジブが取り付けられた伸縮ブームの要部側面図である。
【図２】ジブ取付用アダプタの側面図である。
【図３】ジブ取付用アダプタの平面図である。
【図４】シーブ支持部材の張出姿勢及び格納姿勢の切り換え操作を説明するためのジブ取付用アダプタの斜視図である。
【図５】シーブ支持部材の張出姿勢及び格納姿勢の切り換え操作を説明するためのジブ取付用アダプタの斜視図である。
【図６】シーブ支持部材の張出姿勢及び格納姿勢の切り換え操作を説明するためのジブ取付用アダプタの斜視図である。
【発明を実施するための形態】
【００１２】
図１乃至図６は、本発明の一実施形態を示すものである。
【００１３】
本発明のジブ取付用アダプタ１００は、図１に示すように、移動式クレーンの伸縮ブーム１０にジブ２０を取り付ける際に、伸縮ブーム１０の先端部とジブ２０の基端部との間に介装されるものである。尚、伸縮ブーム１０は、移動式クレーンの車体に対して起伏動作を行うものであるが、本実施形態の説明では、伸縮ブーム１０の伸縮方向を水平方向に向けた状態を基準として上下方向の記載を行うとともに、伸縮ブーム１０の伸縮方向の基端部側から先端部側に向かう方向を前方と定義し、先端部側から基端部側に向かう方向を後方と定義して記載する。
【００１４】
伸縮ブーム１０は、筒状に形成された複数のブーム部材によって構成されたテレスコピック機構によって伸縮自在となっており、図示しない油圧式のシリンダによって伸縮動作を行う。また、伸縮ブーム１０の最先端側に位置するブーム部材の先端部には、図１に示すように、上下方向に延びるブームヘッド１１が設けられている。
【００１５】
また、ブームヘッド１１の幅方向両側面の上部及び下部には、ジブ取付用アダプタ１００を連結可能な連結ブラケット１１ａが設けられている。連結ブラケット１１ａには、連結ピンが上下方向に挿通されるピン挿通孔が設けられている。
【００１６】
ジブ２０は、図１に示すように、ジブ取付用アダプタ１００に連結されるジブベース２１に対して起伏自在に設けられたジブ本体２２を有し、油圧式のチルトシリンダ２３によって起伏動作を行う。ジブ本体２２は、筒状に形成された複数のブーム部材によって構成されたテレスコピック機構によって伸縮自在となっており、図示しない油圧式のシリンダによって伸縮動作を行う。
【００１７】
また、ジブベース２１の幅方向両側の上部及び下部には、ジブ取付用アダプタ１００に連結可能な連結部２１ａが設けられている。連結部２１ａには、連結ピンがジブ２０の幅方向に挿通されるピン挿通孔が設けられている。
【００１８】
ジブ取付用アダプタ１００は、ブームヘッド１１に設けられた連結ブラケット１１ａの連結ピンの挿通方向に対して、ジブベース２１に設けられた連結部２１ａの連結ピンの挿通方向が異なる場合に用いられる。
【００１９】
ジブ取付用アダプタ１００は、図１に示すように、ブームヘッド１１の先端面及び先端側の側面を上下方向に渡って覆うアダプタ本体１１０と、ジブ２０の着脱作業時にジブ２０を吊り下げるワイヤロープを案内するためのジブ着脱用シーブ１２０と、ジブ着脱用シーブ１２０を回転自在に支持するためのシーブ支持部材１３０と、を有している。
【００２０】
アダプタ本体１１０におけるブームヘッド１１に対向する面側には、幅方向両側の上部及び下部のそれぞれに設けられ、ブームヘッド１１に設けられた連結ブラケット１１ａに連結可能なブーム側ブラケット１１１が設けられている。ブーム側ブラケット１１１には、図２及び図３に示すように、連結ピンが上下方向に挿通される挿通孔１１１ａが設けられている。
【００２１】
また、アダプタ本体１１０におけるジブ２０が取り付けられる面側には、幅方向両側の上部及び下部のそれぞれに設けられ、ジブベース２１に設けられた連結部２１ａに連結可能なジブ側ブラケット１１２が設けられている。ジブ側ブラケット１１２には、図２及び図３に示すように、連結ピンが幅方向に挿通される挿通孔１１２ａが設けられている。
【００２２】
アダプタ本体１１０の幅方向両側の上部の前側には、図３に示すように、ジブ取付用アダプタ１００をクレーン等によって吊上げる際に吊り金具を係合させるための金具係合部１１３が設けられている。金具係合部１１３には、吊り金具が挿通される挿通孔１１３ａが設けられている。
【００２３】
アダプタ本体１１０の幅方向両外側には、作業者が把持可能な把持部１１４が設けられている。
【００２４】
シーブ支持部材１３０は、図３に示すように、アダプタ本体１１０の上面において幅方向一対の金具係合部１１３の間に設けられている。シーブ支持部材１３０は、図２に示すように、先端部にジブ着脱用シーブ１２０が支持され、基端部がアダプタ本体１１０に対して幅方向に回動自在に支持されている。また、シーブ支持部材１３０は、アダプタ本体１１０に対して幅方向に回動自在に支持された基端部側部材１３１と、基端部側部材１３１に対して伸縮ブーム１０の伸縮方向に回動自在に支持された先端部側部材１３２と、を有している。基端部側部材１３１及び先端部側部材１３２には、それぞれ作業者が把持可能な把持部１３１ａ，１３２ａが設けられている。
【００２５】
シーブ支持部材１３０は、図２に示すように、基端部側部材１３１の先端部を上方に向けた回動位置とするとともに、基端部側部材１３１に対して先端部側部材１３２の先端部を上方に向けた回動位置とすることで、ジブ着脱用シーブ１２０が上方に張り出した張出姿勢となる。
【００２６】
また、シーブ支持部材１３０は、図４に示すように、基端部側部材１３１の先端部をアダプタ本体１１０の側方に向けた回動位置とするとともに、先端部側部材１３２を基端部側部材１３１に対して折り畳んで先端部側部材１３２の先端部を後方に向けた回動位置とすることで、ジブ着脱用シーブ１２０を格納した格納姿勢となる。
【００２７】
また、シーブ支持部材１３０は、図２に示すように、アダプタ本体１１０に対する基端部側部材１３１の回動位置及び基端部側部材１３１に対する先端部側部材１３２の回動位置をそれぞれ張出姿勢と格納姿勢で固定する第１及び第２姿勢固定部１３３，１３４を有している。第１姿勢固定部１３３は、アダプタ本体１１０及び基端部側部材１３１のそれぞれに設けられた孔に固定ピン１３５を挿通することによりアダプタ本体１１０に対する基端部側部材１３１の回動を規制する。また、第２姿勢固定部１３４は、基端部側部材１３１及び先端部側部材１３２のそれぞれに設けられた孔に固定ピン１３６を挿通することにより基端部側部材１３１に対する先端部側部材１３２の回動を規制する。
【００２８】
また、シーブ支持部材１３０は、格納姿勢において基端部側部材１３１が一方の金具係合部１１３の上方に位置しており、金具係合部１１３に対する吊り金具の係合を不能としている。
【００２９】
以上のように構成されたジブ取付用アダプタ１００において、ブームヘッド１１に取り付ける前の工程では、図４に示すように、アダプタ本体１１０におけるブームヘッド１１に対向する面を下方に向けて、トラック車両の荷台や地面等の略水平面上に仮置きされる。このとき、シーブ支持部材１３０は、格納姿勢となっている。
【００３０】
ジブ取付用アダプタ１００をブームヘッド１１に取り付ける作業を行う場合には、ジブ取付用アダプタ１００が略水平面上に仮置きされた状態で、シーブ支持部材１３０を張出姿勢とし、固定ピン１３５，１３６によって張出姿勢を固定する。
【００３１】
具体的には、ジブ取付用アダプタ１００が略水平面上に仮置きされた状態で、まず、作業者が把持部１３１ａを把持しながら、シーブ支持部材１３０の基端部側部材１３１を、図４の矢印で示すように、略水平方向に回動させてアダプタ本体１１０の上面から張り出した状態とする。次に、作業者は、把持部１３２ａを把持しながら、先端部側部材１３２を、図５の矢印で示すように、上方に回動させてアダプタ本体１１０の上面から張り出した状態とし、図６に示すように、シーブ支持部材１３０を張出姿勢とする。ここで、先端部側部材１３２は、シーブ支持部材１３０の全体の重量と比較して重量が小さいため、作業者が手動で容易に回動させることが可能である。
【００３２】
ここで、基端部側部材１３１の先端部がアダプタ本体１１０の側方を向いている状態では、一方の金具係合部１１３の外側に基端部側部材１３１が位置しているため、金具係合部１１３に吊り金具を係合させることができず、ジブ取付用アダプタ１００を吊り上げる作業を行うことができない。
【００３３】
シーブ支持部材１３０を張出姿勢とした後、一対の金具係合部１１３に吊り金具を取り付けてジブ取付用アダプタ１００をクレーン等の楊重機器によって吊上げ、ブームヘッド１１に取り付ける。
【００３４】
このように、本実施形態のジブ取付用アダプタによれば、シーブ支持部材１３０は、アダプタ本体１１０を水平面上に仮置きした状態で、水平方向の回動によって張出姿勢と格納姿勢とが切り換えられる。
【００３５】
これにより、複雑な機構を必要とすることなく、作業者が手動でシーブ支持部材１３０の張出姿勢及び格納姿勢の切り換え操作を行うことができるので、製造コストの低減を図ることが可能となる。また、作業者が地面上においてシーブ支持部材１３０の張出姿勢及び格納姿勢の切り換え操作を行うことができるので、張出姿勢及び格納姿勢の切り換え作業の作業効率及び安全性を向上させることが可能となる。
【００３６】
また、シーブ支持部材１３０は、基端部側に設けられた基端部側部材１３１と、基端部側部材１３１に対して回動自在に支持された先端部側部材１３２と、を有している。
【００３７】
これにより、ジブ着脱用シーブ１２０を使用しない場合に、基端部側部材１３１に対して先端部側部材１３２を折り畳んだ状態とすることで、格納姿勢におけるシーブ支持部材１３０の占有スペースを小さくすることが可能となるので、ジブ取付用アダプタ１００の小型化を図ることが可能となる。
【００３８】
また、シーブ支持部材１３０は、格納姿勢において金具係合部１１３の外側に位置している。
【００３９】
これにより、シーブ支持部材１３０が格納姿勢の場合には、ジブ取付用アダプタ１００をブームヘッド１１に取り付ける作業が不能となるので、ジブ取付用アダプタ１００をブームヘッド１１に取り付ける際に確実にシーブ支持部材１３０を張出姿勢とすることができ、ジブ取付用アダプタ１００の取付作業時の高所作業の工数を低減し、安全性を向上させることが可能となる。
【００４０】
また、シーブ支持部材１３０には、張出姿勢及び格納姿勢のそれぞれの姿勢を固定する第１及び第２姿勢固定部１３３，１３４が設けられている。
【００４１】
これにより、アダプタ本体１１０に対するシーブ支持部材１３０の姿勢を確実に保持することが可能となり、ジブ取付用アダプタ１００の取付作業時やジブ取付用アダプタ１００が取り付けられた移動式クレーンのクレーン作業時の安全性を向上させることが可能となる。
【００４２】
尚、前記実施形態では、シーブ支持部材１３０を、基端部側部材１３１及び先端部側部材１３２とから構成し、基端部側部材１３１に対して先端部側部材１３２の折り畳んだ状態を格納姿勢としたものを示したが、これに限られるものではない。シーブ支持部材を一の部材から構成し、アダプタ本体に対してシーブ支持部材の先端部を上方に向けた状態を張出姿勢とし、側方に向けた状態を格納姿勢とするジブ取付用アダプタであっても、水平面上の仮置きの状態において水平方向の回動によって張出姿勢及び格納姿勢を切り換えることが可能である。
【００４３】
また、前記実施形態では、基端部側部材１３１に対して先端部側部材１３２の基端部を伸縮ブーム１０の伸縮方向に回動自在に支持したものを示したが、基端部側部材１３１に対する先端部側部材１３２の回動方向は、格納姿勢の納まり等を考慮して任意に設定すればよい。
【符号の説明】
【００４４】
１０…伸縮ブーム、２０…ジブ、１００…ジブ取付用アダプタ、１１０…アダプタ本体、１２０…ジブ着脱用シーブ、１３０…シーブ支持部材、１３１…基端部側部材、１３２…先端部側部材、１３３…第１姿勢固定部、１３４…第２姿勢固定部。
【図１】
0006550839.tif 000002
【図２】
0006550839.tif 000003
【図３】
0006550839.tif 000004
【図４】
0006550839.tif 000005
【図５】
0006550839.tif 000006
【図６】
0006550839.tif 000007